(57)【要約】      （修正有）【課題】喫煙ブースや喫煙室等の喫煙可能領域に設置され、利用者の間に飛沫の拡散によるウイルス感染を防止することができる飛沫感染防止パーテーションを提供する。【解決手段】喫煙可能領域に設置され、利用者の間に飛沫の拡散によるウイルス感染を防止するための飛沫感染防止パーテーション１００は、３つ以上の支持脚を有し、この３つ以上の支持脚で囲まれた空間に灰皿Ｆを配置可能に構成された台座１０と、台座１０上に固定され、空間を分割する少なくとも１つの仕切り板からなる仕切りパネル２０とを備えている。【選択図】図１
0003228823.tif 000002
【実用新案登録請求の範囲】
【請求項１】
喫煙可能領域に設置され、利用者の間に飛沫の拡散によるウイルス感染を防止するための飛沫感染防止パーテーションであって、
３つ以上の支持脚を有し、前記３つ以上の支持脚で囲まれた空間に灰皿を配置可能に構成された台座と、
前記台座上に固定され、空間を分割する少なくとも１つの仕切り板からなる仕切りパネルとを備えていることを特徴とする飛沫感染防止パーテーション。
【請求項２】
前記台座は、不燃材料から形成された４つの支持脚を有し、
前記仕切りパネルは、透明又は半透明の樹脂板材を用いて前記４つの支持脚の対角線に沿って上面視十字形に形成され、前記台座上の空間を４分割するように構成されていることを特徴とする請求項１に記載の飛沫感染防止パーテーション。
【請求項３】
前記仕切りパネルは、前記利用者の頭部に対応する高さ位置の幅が下部の幅より大きく形成されていることを特徴とする請求項１又は２に記載の飛沫感染防止パーテーション。
【請求項４】
前記台座は、不燃処理された木材、又はアルミフレーム材から形成されていることを特徴とする請求項１から３のいずれか１項に記載の飛沫感染防止パーテーション。
【考案の詳細な説明】
【技術分野】
【０００１】
本考案は、喫煙ブースや喫煙室等の喫煙可能領域に設置され、利用者の間に飛沫の拡散によるウイルス感染を防止するための飛沫感染防止パーテーションに関する。
【背景技術】
【０００２】
新型コロナウイルス感染症(ＣＯＶＩＤ−１９)をはじめとするウイルスによる感染症は飛沫感染及び接触感染が主な感染ルートとなる。このため、飛沫感染を防止することは感染リスクの高い感染症に対して感染リスクを低減させる対策として有効性がある。
【０００３】
現在、新型コロナウイルスの感染拡大を受け、職場等では、社員及び来客を飛沫感染から守る予防対策が求められている。今まで、オフィスにおける飛沫防止のためのパーテーションは様々な種類が提案、実用化されている（例えば、非特許文献１）。
【０００４】
非特許文献１に記載された飛沫防止パーテーションは、例えば、土台となる金具に透明のアクリル板を挟んで自立させる卓上パーテーションである。この飛沫防止パーテーションは、飛沫による感染防止対策として、対面式の営業シーンに不可欠なものである。
【先行技術文献】
【非特許文献】
【０００５】
【非特許文献１】株式会社チヨダディステム、“感染症対策グッズ”、［online］、［令和２年７月３０日検索］、インターネット、＜https://www.distem.co.jp/dcms_media/other/antivirusgoods4.pdf＞
【考案の概要】
【考案が解決しようとする課題】
【０００６】
しかしながら、非特許文献１に記載された飛沫防止パーテーションは、オフィスの卓上等に設置して使用するものである。喫煙ブースや喫煙室に設置され、利用者の間に飛沫の拡散によるウイルス（例えば、新型コロナウイルス）感染を防止することはできない。
【０００７】
従って、本考案は従来技術の上述した問題点を解消するものであり、本考案の目的は、喫煙ブースや喫煙室等の喫煙可能領域に設置され、利用者の間に飛沫の拡散によるウイルス感染を防止することができる飛沫感染防止パーテーションを提供することにある。
【課題を解決するための手段】
【０００８】
本考案によれば、喫煙ブースや喫煙室等の喫煙可能領域に設置され、利用者の間に飛沫の拡散によるウイルス感染を防止するための飛沫感染防止パーテーションであって、３つ以上の支持脚を有し、この３つ以上の支持脚で囲まれた空間に灰皿を配置可能に構成された台座と、台座上に固定され、空間を分割する少なくとも１つの仕切り板からなる仕切りパネルとを備えている。
【０００９】
３つ以上の支持脚を有し、この３つ以上の支持脚が囲まれた空間に灰皿を配置可能に構成された台座と、台座上に固定され、空間を分割する少なくとも１つの仕切り板からなる仕切りパネルとを備えているため、喫煙ブースや喫煙室に設置でき、利用者の間に飛沫の拡散によるウイルス感染を防止することができる。
【００１０】
台座は、不燃材料から形成された４つの支持脚を有し、仕切りパネルは、透明又は半透明の樹脂板材を用いて４つの支持脚の対角線に沿って上面視十字形に形成され、台座上の空間を４分割するように構成されていることが好ましい。４人が同時に利用することができ、利用者の間に飛沫の拡散によるウイルス感染を防止することできる。
【００１１】
仕切りパネルは、利用者の頭部に対応する高さ位置の幅が下部の幅より大きく形成されていることがより好ましい。このような構成を有することにより、飛沫の拡散を有効に防止することができる。
【００１２】
台座は、不燃処理された木材、又はアルミフレーム材から形成されていることがより好ましい。喫煙ブースや喫煙室に設置され、安全に利用することができる。
【考案の効果】
【００１３】
本考案によれば、３つ以上の支持脚を有し、この３つ以上の支持脚で囲まれた空間に灰皿を配置可能に構成された台座と、台座上に固定され、空間を分割する少なくとも１つの仕切り板からなる仕切りパネルとを備えているため、喫煙ブースや喫煙室に設置でき、利用者の間に飛沫の拡散によるウイルス（例えば、新型コロナウイルス）感染を防止することができる。仕事以外の喫煙時間で飛沫感染防止に役立つことができる。
【図面の簡単な説明】
【００１４】
【図１】本考案の第１の実施形態における飛沫感染防止パーテーションの構成を概略的に示す斜視図である。
【図２】図１の飛沫感染防止パーテーションの構成を概略的に示す上から見た図である。
【図３】本考案の第２の実施形態における飛沫感染防止パーテーションの構成を概略的に示す斜視図である。
【図４】図３の飛沫感染防止パーテーションの構成を概略的に示す側面図である。
【考案を実施するための形態】
【００１５】
以下、本考案に係る飛沫感染防止パーテーションの実施形態を、図面を参照して説明する。
【００１６】
図１は本考案の第１の実施形態における飛沫感染防止パーテーション１００の構成を示しており、図１において、灰皿Ｆが配置している状態を示している。図２は図１の飛沫感染防止パーテーション１００の構成を概略的に示す上から見た状態を示している。
【００１７】
図１及び図２に示すように、本実施形態における飛沫感染防止パーテーション１００は、台座１０と、仕切りパネル２０とを備えている。
【００１８】
台座１０は、例えば、不燃材料として不燃処理された木材（国土交通大臣認定）から４つの支持脚を有する形状に形成されている。４つの支持脚で囲まれた空間（台座１０の下部）に灰皿Ｆを配置可能である。この台座１０の上端は、上面視十字形に形成され、仕切りパネル２０を装着可能に構成されている。例えば、台座１０の上面には、仕切りパネル２０の下端を嵌入可能な溝を設けるようにしても良い。
【００１９】
仕切りパネル２０は、例えば、４枚の透明又は半透明の樹脂板材を用いて４つの支持脚の対角線に沿って上面視十字形（図２参照）に形成され、台座１０の上の空間を４分割するように構成されている。また、仕切りパネル２０と台座１０とは、接着剤又は取付金具により固定されている。樹脂板材として、アクリル、又はポリカーボネート等の板材を用いることができる。特に、耐燃性（難燃性）のあるポリカーボネートを用いることが好ましい。
【００２０】
以上説明したように、本実施形態の飛沫感染防止パーテーション１００は、台座１０と、仕切りパネル２０とを備えている。これにより、台座１０の上の空間を４分割することができ、喫煙ブースや喫煙室等の喫煙可能領域において、１台の灰皿Ｆを複数人（例えば、４人）が同時に利用する際に、利用者の間に飛沫の拡散によるウイルス（例えば、新型コロナウイルス）の感染を防止することができる。また、台座１０は不燃処理された木材から形成されていることで、喫煙ブースや喫煙室に設置される場合、安全に利用することができる。
【００２１】
図３は本考案の第２の実施形態における飛沫感染防止パーテーション２００の構成を示しており、図３において、灰皿Ｆが配置している状態を示している。図４は図３の飛沫感染防止パーテーションの構成を概略的に示す側面図である。
【００２２】
図３及び図４に示すように、本実施形態における飛沫感染防止パーテーション２００は、台座１０Ａと、仕切りパネル２０Ａとを備えている。
【００２３】
台座１０Ａは、例えば、アルミフレーム材から形成され、４つの支持脚を有している。４つの支持脚で囲まれた空間（台座１０Ａの下部）に灰皿Ｆを配置可能である。この台座１０の上端は、上面視十字形に形成され、仕切りパネル２０Ａを装着可能に構成されている。例えば、台座１０Ａの上面には、仕切りパネル２０Ａの下端を嵌入可能な溝を有している。
【００２４】
仕切りパネル２０Ａは、例えば、４枚の透明又は半透明の樹脂板材を用いて４つの支持脚の対角線に沿って上面視十字形に形成され、台座１０Ａの上の空間を４分割するように構成されている。また、仕切りパネル２０Ａと台座１０Ａとは、接着剤又は取付金具により固定されている。樹脂板材として、アクリル、又はポリカーボネート等の板材を用いることができる。特に、耐燃性（難燃性）のあるポリカーボネートを用いることが好ましい。また、この仕切りパネル２０Ａは、利用者の頭部に対応する高さ位置の幅Ａが下部の幅Ｂより大きく形成されている。これにより、喫煙する際に飛沫の拡散を有効に防止することができる。
【００２５】
以上説明したように、本実施形態の飛沫感染防止パーテーション２００は、台座１０Ａと、仕切りパネル２０Ａとを備えている。これにより、台座１０Ａの上の空間を４分割することができ、喫煙ブースや喫煙室において、１台の灰皿Ｆを複数人（例えば、４人）が同時に利用する際に、利用者の間に飛沫の拡散によるウイルス（例えば、新型コロナウイルス）感染を防止することができる。また、仕切りパネル２０Ａは、利用者の頭部に対応する高さ位置の幅Ａが下部の幅Ｂより大きく形成されているため、飛沫の拡散を有効に防止することができる。
【００２６】
なお、上述した実施形態の飛沫感染防止パーテーション１００及び２００において、仕切りパネル２０及び２０Ａは、樹脂板材を用いて４つの支持脚の対角線に沿って上面視十字形に形成され、台座１０及び１０Ａの上の空間を４分割するように構成されている例を説明したが、本考案はこれに限定されるものではない。例えば、３つの支持脚を有する台座の上の空間を３分割するように構成されても良い。又は、多脚を有する台座の上の空間を５以上に分割するように構成されても良い。
【００２７】
また、本考案の飛沫感染防止パーテーションは、下部に灰皿を配置可能な台座の上に１枚の仕切り板からなる仕切りパネルを配置し、空間を２分割するようにしても良い。
【００２８】
さらに、上述した実施形態の飛沫感染防止パーテーション１００及び２００において、仕切りパネル２０及び２０Ａは、透明又は半透明の樹脂板材を用いて形成されている例を説明したが、本考案はこれに限定されるものではない。例えば、非透明の板材を用いて形成されても良い。
【００２９】
以上述べた実施形態は全て本考案を例示的に示すものであって限定的に示すものではなく、本考案は他の種々の変形態様及び変更態様で実施することができる。従って本考案の範囲は実用新案登録請求の範囲及びその均等範囲によってのみ規定されるものである。
【符号の説明】
【００３０】
１０、１０Ａ  台座
２０、２０Ａ  仕切りパネル
１００、２００  飛沫感染防止パーテーション
Ｆ  灰皿
【図１】
0003228823.tif 000003
【図２】
0003228823.tif 000004
【図３】
0003228823.tif 000005
【図４】
0003228823.tif 000006